(57)【特許請求の範囲】
【請求項１】
基板（２３）を挟んで互いに嵌め合わせ可能な第１，第２ケース体（４１，４２）により構成された基板ケース（２４）と、この基板ケース（２４）を閉じた状態で前記第１，第２ケース体（４１，４２）を互いに封止可能な封止手段（４３）とを備え、前記封止手段（４３）は、前記第１ケース体（４１）側の被結合部（９１）と、前記第２ケース体（４２）側の封止部材（９２）とを備え、前記封止部材（９２）が前記基板ケース（２４）の外側から内向きに押圧されて前記被結合部（９１）に離脱不能に結合することにより前記第１，第２ケース体（４１，４２）を閉状態で封止するように構成された遊技機において、両端側の固定部（１３１，１３２）を前記第１ケース体（４１）と前記第２ケース体（４２）とに夫々着脱不能に固定することにより、前記第１ケース体（４１）と前記第２ケース体（４２）とを開閉可能な状態で連結する連結手段（４４）を備え、前記連結手段（４４）における前記第２ケース体（４２）側の前記固定部（１３２）を、前記封止部材（９２）の装着部分を前記第２ケース体（４２）の外側から覆うように該第２ケース体（４２）側に固定したことを特徴とする遊技機。
【請求項２】
前記封止手段（４３）は、所定の損壊部（１２１，１２２）を介して前記第２ケース体（４２）側に一体に形成され且つ前記損壊部（１２１，１２２）を損壊することにより前記第２ケース体（４２）から除去可能な開封障害部（９３）と前記封止部材（９２）とを備え、該封止部材（９２）が前記第１ケース体（４１）側に結合したとき、その封止部材（９２）が前記第１ケース体（４１）に対する前記開封障害部（９３）の開方向への相対移動を規制して前記基板ケース（２４）の開封を阻止するように構成されていることを特徴とする請求項１に記載の遊技機。
【請求項３】
前記封止部材（９２）は、所定の保持部（１１５）を介して前記第２ケース体（４２）側に一体に形成されており、前記固定部（１３２）に、前記封止部材（９２）の被押圧部（１１４）に対応する操作孔（１４８）を設けたことを特徴とする請求項１又は２に記載の遊技機。
【請求項４】
前記第２ケース体（４２）側の固定部（１３２）は、前記各封止部材（９２）の両側を含む複数箇所で前記第２ケース体（４２）に固定されていることを特徴とする請求項３に記載の遊技機。
【請求項５】
前記固定部（１３１，１３２）を熱カシメにより前記第１，第２ケース体（４１，４２）側に固定したことを特徴とする請求項１〜４の何れかに記載の遊技機。
【発明の詳細な説明】
【技術分野】
【０００１】
本発明は、パチンコ機、スロットマシン等の遊技機に係り、詳しくは、基板を挟んで互いに嵌め合わせ可能な第１，第２ケース体により構成された基板ケースと、この基板ケースを閉じた状態で第１，第２ケース体を互いに封止可能な封止手段とを備えた遊技機に関するものである。
【背景技術】
【０００２】
パチンコ機等の遊技機では、各種制御基板等が基板ケースに格納された状態で本体裏側等に装着されている。一般的な基板ケースは、第１ケース体と第２ケース体とを開閉可能に組み合わせることにより略箱形となるように構成されている。
【０００３】
また、遊技機の基板ケースには、制御基板に対する不正防止のための封止手段を備えたものがある。この封止手段は、制御基板を格納した状態で第１ケース体と第２ケース体とを閉鎖状態で封止し、その後に開封した場合にはその痕跡が残るようにすることで、不正な開封を未然に防止しようとするものである。
【０００４】
この種の基板ケース及びその封止手段としては、例えば特許文献１，２に記載されているものが一般的である。これら各特許文献に記載された遊技機は、何れも、第２ケース体側の保持部材により保持された封止部材を、その第２ケース体側の保持部材に保持された状態のままで第１ケース体側の被結合部に結合させることにより、即ち封止部材により第２ケース体側の保持部材と第１ケース体側の被結合部とを結合することにより基板ケースを封止するように構成されている。
【０００５】
また、封止された基板ケースを開封する場合には、特許文献１に記載された遊技機では保持部材と第２ケース体との接続部分に設けられた損壊部を損壊して保持部材を第２ケース体から切り離すことにより、特許文献２に記載された遊技機では封止部材の略中間部分に設けられた損壊部を損壊して封止部材を第１ケース体側と第２ケース体側とに分離することにより、夫々第１ケース体と第２ケース体との封止を解除するように構成されている。
【特許文献１】特開２０００−１２６４２０号公報
【特許文献２】特開２００５−１３７４９７号公報
【発明の開示】
【発明が解決しようとする課題】
【０００６】
上記のような従来の基板ケースでは、例えば第１ケース体側を損壊することで、第２ケース体及び封止部材には一切痕跡が残らない状態で開封される可能性は否定できない。このような場合、例えば損壊した第１ケース体をその複製品に取り替えれば、開封前と略同様の状態に復元することが可能であると考えられる。
【０００７】
本発明は、上記事情に鑑みてなされたものであり、その目的とするところは、第１ケース体と第２ケース体との何れか一方を痕跡を残すことなく複製品と取り替えることができないようにすることで、基板ケースの不正開封を効果的に防止できる遊技機を提供することにある。
【課題を解決するための手段】
【０００８】
本発明は、基板２３を挟んで互いに嵌め合わせ可能な第１，第２ケース体４１，４２により構成された基板ケース２４と、この基板ケース２４を閉じた状態で前記第１，第２ケース体４１，４２を互いに封止可能な封止手段４３とを備え、前記封止手段４３は、前記第１ケース体４１側の被結合部９１と、前記第２ケース体４２側の封止部材９２とを備え、前記封止部材９２が前記基板ケース２４の外側から内向きに押圧されて前記被結合部９１に離脱不能に結合することにより前記第１，第２ケース体４１，４２を閉状態で封止するように構成された遊技機において、両端側の固定部１３１，１３２を前記第１ケース体４１と前記第２ケース体４２とに夫々着脱不能に固定することにより、前記第１ケース体４１と前記第２ケース体４２とを開閉可能な状態で連結する連結手段４４を備え、前記連結手段４４における前記第２ケース体４２側の前記固定部１３２を、前記封止部材９２の装着部分を前記第２ケース体４２の外側から覆うように該第２ケース体４２側に固定したものである。
【発明の効果】
【０００９】
本発明によれば、例えば第１ケース体４１側の一部を損壊することにより、第２ケース体４２及び封止部材９２には一切痕跡が残らない状態で基板ケース２４が開封されたとしても、連結手段４４を切断等しない限り、損壊した第１ケース体４１を第２ケース体４２から切り離すことはできない。従って、痕跡を残すことなく、その損壊した第１ケース体４１を複製品と取り替えて基板ケース２４を開封前と同じ状態に復元することは不可能であり、そのような不正行為を効果的に防止できる。
【発明を実施するための最良の形態】
【００１０】
以下、本発明の実施形態を図面に基づいて詳述する。図１〜図２１は本発明をパチンコ機に採用した一実施形態を例示している。なお、以下の説明における上下左右の方向については、特に基準を示さない限り遊技機本体を前側から見た場合の上下左右をいうものとする。
【００１１】
図１において、１は遊技機本体で、矩形状の外枠２と、この外枠２の前側に開閉自在に枢着された前枠３とを備えている。前枠３は左端側の上下一対のヒンジ４を介して外枠２に着脱及び開閉自在に装着されている。
【００１２】
前枠３の上部側には遊技盤５が例えば前側から着脱自在に装着されると共に、遊技盤５の前側にガラス扉６が、ガラス扉６の下側に隣接して前面開閉板７が夫々配置されている。ガラス扉６、前面開閉板７はヒンジ４と同一側のヒンジ（図示省略）により前枠３に開閉自在に枢支されている。前面開閉板７には、その前側に、発射手段８に供給するための遊技球を貯留する貯留皿９、発射手段８を作動させるための発射ハンドル１０等が設けられている。
【００１３】
遊技盤５の前側には、発射手段８により発射された遊技球を案内するガイドレール１１が環状に装着されると共に、そのガイドレール１１内の遊技領域１２には、画像表示手段１３を備えたセンターケース１４の他、通過ゲート１５、開閉式入賞手段１６、大入賞手段１７、普通入賞手段１８等の各種遊技部品が装着されている。
【００１４】
また、遊技盤５の裏側には、図２に示すように、センターケース１４等の遊技部品を後側から覆う裏カバー２１と集球ケース２２とが上下に配置され、例えば集球ケース２２の背面側に主制御基板２３が格納された主基板ケース２４が、裏カバー２１の背面側に演出制御基板２５が格納された演出基板ケース２６、液晶制御基板２７が格納された液晶基板ケース２８が夫々着脱自在に装着されている。
【００１５】
集球ケース２２は、開閉式入賞手段１６、大入賞手段１７、普通入賞手段１８等に入賞して遊技盤５の裏側に案内された遊技球を集めて排出口２９から回収通路（図示省略）側へと案内するためのもので、図３に示すように上面側と前面側とが開放した略箱形に形成されており、裏カバー２１の下側に近接して配置され、遊技盤５の裏側に着脱自在に固定されている。
【００１６】
集球ケース２２の背面側には、例えばその略中央に主基板ケース２４を着脱自在に装着可能な主基板ケース装着部３１が設けられ、また例えばその主基板ケース装着部３１の一側には、遊技盤５を前枠３側に装着したときに前枠３側のコネクタ（図示省略）に直接結合される遊技盤側コネクタ３２が複数配置されている。
【００１７】
主基板ケース装着部３１に装着される主基板ケース２４は、全体として扁平な略矩形状であって、図３に示すように、互いに係脱自在の第１ケース体４１と第２ケース体４２とを備えると共に、その外周側の一辺、例えば左端側に沿って封止手段４３が設けられ、また第１ケース体４１及び第２ケース体４２は、開閉可能な状態で連結部材（連結手段）４４により連結されている。
【００１８】
そして、主基板ケース２４内の空間は、図４〜図６等に示すように、封止手段４３に対応する封止領域２４ｂと、それ以外の基板格納領域２４ａとに区分されており、その基板格納領域２４ａ内に主制御基板２３が格納されている。
【００１９】
主制御基板２３は矩形状であって、その一面側には、中央寄りの部分にＣＰＵ，ＲＯＭ，ＲＡＭ等の電子部品４５が配置され、また外縁部近傍には、コネクタ４６が装着されると共に位置決め孔４７及び固定孔４８（図３）が形成されている。
【００２０】
第２ケース体４２は、例えば透明な合成樹脂製で、図３〜図７，図９等に示すように、主制御基板２３の電子部品装着面２３ａ側に対向する上壁５１と、その上壁５１の三辺、例えば上下辺及び右辺に沿って主制御基板２３の裏面２３ｂ側に向けて延設された周壁５２〜５４とを一体に備え、主制御基板２３の裏面２３ｂ側に対応する面、及び外周側の残りの一方側、即ち左側の面はその略全面が開放されて開口５５，５６を形成している。
【００２１】
そして、上壁５１の内面側には、例えば左側の開口５６から所定距離内側（右周壁５４側）の位置に仕切り壁５７が右周壁５４と略平行に配置されている。この仕切り壁５７は、主基板ケース２４内の空間を封止領域２４ｂと基板格納領域２４ａとに仕切るもので、周壁５２〜５４と仕切り壁５７とで取り囲まれた領域が基板格納領域２４ａ、仕切り壁５７よりも開口５６側の領域が封止領域２４ｂとなっている。なお、仕切り壁５７の両端部と周壁５２，５３との間には夫々隙間５７ａが形成されている（図１５，図１６）。
【００２２】
上壁５１のうち、基板格納領域２４ａに対応する基板側上壁５１ａには、その内部に配置される主制御基板２３との間に電子部品４５の収容空間を確保できるように外向きに膨出する膨出部６１が形成されると共に、例えば周壁５２，５３，５４に沿って膨出部６１よりも低い段部６２が形成されている。
【００２３】
段部６２には、主制御基板２３側のコネクタ４６が内側から嵌合するコネクタ嵌合孔６３が１又は複数設けられており、またそのコネクタ嵌合孔６３を避けて、主制御基板２３側の位置決め孔４７に対応する１又は複数の位置決め突起６４が内向きに、主制御基板２３側の固定孔４８に対応するねじ止め用の固定基部６５が外向きに、夫々突設されている。
【００２４】
主制御基板２３は、電子部品装着面２３ａを上壁５１側に向けた状態で、位置決め孔４７に位置決め突起６４を嵌合させるように第２ケース体４２の基板格納領域２４ａ内に嵌め込まれ、固定孔４８を介して固定基部６５にねじ止めすることにより固定される。
【００２５】
上壁５１のうち、封止領域２４ｂに対応する封止側上壁５１ｂは、例えば基板側上壁５１ａとの境界部に沿って基板側上壁５１ａ側の段部６２と同じ高さに配置される低壁６６と、この低壁６６の開口５６側に突出状に設けられ且つ低壁６６よりも一段高い高壁６７とを備え、それら低壁６６と高壁６７との間はそれら低壁６６及び高壁６７に略垂直な起立壁６８により連結されている。
【００２６】
高壁６７の外面側は、連結部材４４の一端側を固定するための第２固定ベース部１０６となっている。この第２固定ベース部１０６は、高壁６７から略垂直に突設される複数のカシメピン１０７と、高壁６７の外縁部に沿ってその全周にわたって配置され且つ外向きに所定高さで突設される囲いリブ１０８とを備えている。
【００２７】
また、上下の周壁５２，５３には、封止領域２４ｂ側端部、即ち左端部に高壁６７と略平行に突出する一対の係合突部５８（図３，図９，図１１等）が設けられ、また基板格納領域２４ａに対応する外面側には外向き突出状の係合爪７０が、開口５５側の縁部に沿って間欠的に複数設けられている。
【００２８】
第１ケース体４１は、例えば透明な合成樹脂製で、図３〜図６，図８，図９等に示すように、第２ケース体４２側の開口５５に対応する底壁７１と、第２ケース体４２側の開口５６に対応して底壁７１の一辺、即ち左辺から第２ケース体４２側に立設される側壁７２と、底壁７１の他の三辺、即ち上辺，下辺及び右辺に沿って第２ケース体４２側に立設される嵌合壁７３，７４，７５とを一体に備えており、第２ケース体４２と向かい合わせに嵌め合わせたとき、底壁７１，側壁７２が夫々第２ケース体４２側の開口５５，５６を略閉鎖すると共に、嵌合壁７３〜７５が夫々第２ケース体４２側の周壁５２〜５４の外面側に嵌合するようになっている。
【００２９】
また、底壁７１には、第２ケース体４２側の上下の周壁５２，５３の内面側に沿う一対の案内壁７６，７７が、側壁７２の内面側から嵌合壁７５側に向けて上下の嵌合壁７３，７４の内側に平行に配置されている。これら案内壁７６，７７と嵌合壁７３，７４との間は、第２ケース体４２側の周壁５２，５３が摺動自在に嵌合する案内溝７８，７９となっている。
【００３０】
また、上下の嵌合壁７３，７４には、第２ケース体４２側の係合爪７０が夫々係脱自在に係合可能な被係合部８０が設けられている。この被係合部８０は、第２ケース体４２側の係合爪７０が夫々嵌脱自在に嵌合する複数の切り欠き部８１と、案内溝７８，７９に沿ってこれら切り欠き部８１に対して例えば封止領域２４ｂとは反対側（右側）に隣接して設けられ且つ係合爪７０が夫々係合する係止部８２とで構成されており、係合爪７０を夫々切り欠き部８１に嵌合させるように第２ケース体４２を第１ケース体４１に嵌め合わせ（アンロック状態）、第２ケース体４２を第１ケース体４１に対して封止領域２４ｂとは反対側（右側）に向けて相対的にスライドさせたとき（以下、この方向をスライド方向という）、係合爪７０が係止部８２に夫々係合して、第１ケース体４１と第２ケース体４２とが互いに結合状態でロックされる（ロック状態）ようになっている。
【００３１】
これら第１ケース体４１側の被係合部８０と第２ケース体４２側の係合爪７０とが、それら第１ケース体４１と第２ケース体４２とを閉状態でロックするための主ロック手段８６を構成している。
【００３２】
側壁７２には、案内溝７８，７９に対応して一対の被係合穴８７（図９〜図１１等）が形成されており、第１ケース体４１と第２ケース体４２とをアンロック状態に嵌め合わせる前に、第２ケース体４２側の係合突部５８を案内溝７８，７９に沿って被係合穴８７に差し込むことにより、係合突部５８が被係合穴８７に係合して第１，第２ケース体４１，４２の開方向への移動を規制するようになっている。また、係合突部５８と被係合穴８７とは主ロック手段８６がアンロック状態のときだけでなくロック状態となったときにも係合状態が維持されるようになっている。
【００３３】
これら第１ケース体４１側の被係合穴８７と第２ケース体４２側の係合突部５８とが、それら第１ケース体４１と第２ケース体４２とを閉状態で補助的にロックするための補助ロック手段８８を構成している。
【００３４】
なお、第１ケース体４１と第２ケース体４２とを互いに嵌め合わせたとき、第１ケース体４１側の案内壁７６，７７は第２ケース体４２側の仕切り壁５７と周壁５２，５３との間の隙間５７ａに嵌合する（図１５，図１６）。
【００３５】
更に、第１ケース体４１の外周部、例えば左右両端側には、主基板ケース装着部３１に固定するための突設部８４，８５が外向きに一体形成されている。
【００３６】
封止手段４３は、主基板ケース２４の封止領域２４ｂに対応して、第２ケース体４２側の開口５６及び第１ケース体４１側の側壁７２に沿って例えば一列状に複数（ここでは４組）配置されている。
【００３７】
各封止手段４３は、図７，図８，図１０，図１１，図１５，図１６等に示すように、第１ケース体４１側の被結合部９１と、第２ケース体４２側の封止部材９２及び開封障害部９３とで構成されている。被結合部９１は、第１ケース体４１側の側壁７２の内面側に突設された嵌合支持部９４上に設けられている。嵌合支持部９４は、底壁７１に平行な板状で、底壁７１との間に所定距離をおいて側壁７２から内側、即ち封止領域２４ｂ側に張り出すように一体に形成されており、側壁７２に沿って複数（ここでは４つ）の被結合部９１が設けられている。
【００３８】
各被結合部９１は、例えばスライド方向に設けられた１つの挿通スリット９５と、この挿通スリット９５の両側に平行に配置された一対の逃げ用スリット９６と、それら挿通スリット９５と逃げ用スリット９６との間に形成された一対の弾性係合部９７とを備えている。挿通スリット９５には、封止部材９２側の結合部１１３に対応してその略中央に拡幅部９５ａが形成されている。
【００３９】
また、嵌合支持部９４の第２ケース体４２側の面（以下、表面９４ａとする）には、各被結合部９１に対してその配列方向の両側、即ち逃げ用スリット９６の外側に互いに平行な一対の案内板９８，９８が第２ケース体４２の高壁６７側に向けて立設されている。また、案内板９８，９８の対向面側には、封止部材９２の側壁７２側に沿って規制部９９が突設されている。なお、嵌合支持部９４と底壁７１との間には、それらを接続する補強リブ１００が、被結合部９１を避けた位置に複数設けられている（図１５）。
【００４０】
側壁７２の縁部には、第１ケース体４１と第２ケース体４２とがアンロック状態のときに第２ケース体４２側の封止部材９２との干渉を避けるための切欠１０２（図１０，図１１）が形成されている。また、側壁７２の外面側には、図１０，図１１等に示すように、例えば一端側の被結合部９１に対応する位置に、連結部材４４の一端側を固定するための第１固定ベース部１０３が設けられている。この第１固定ベース部１０３は、側壁７２から略垂直に突設される一又は複数、例えば二本のカシメピン１０４と、このカシメピン１０４の外側を取り囲むように側壁７２から所定高さで突設される囲いリブ１０５とを備えている。
【００４１】
封止部材９２及び開封障害部９３は、図７，図１０，図１１等に示すように、封止領域２４ｂに対応して第２ケース体４２側に形成された封止用開口部１０１内に配置されている。封止用開口部１０１は、第１ケース体４１側の被結合部９１に対応して複数（ここでは４つ）設けられており、夫々高壁６７から起立壁６８、低壁６６にわたる開口状に形成されている。
【００４２】
封止部材９２は、断面矩形状の軸部１１１と、この軸部１１１の一端側に設けられた鍔部１１２と、軸部１１１の他端側に設けられた台形状の結合部１１３と、鍔部１１２から上側に突出する被押圧部１１４とを備え、封止用開口部１０１のうち、高壁６７に形成された高壁開口部１０１ａ内に配置され、損壊容易な１又は複数の保持部１１５を介して第２ケース体４２に一体成形されており、主基板ケース２４を封止する際に被押圧部１１４が押圧されると、それによって保持部１１５が損壊して第２ケース体４２側から切り離され、第１ケース体４１側の被結合部９１に離脱不能に結合するようになっている。
【００４３】
鍔部１１２は、例えば略矩形状に形成されており、高壁開口部１０１ａを略塞ぐように高壁開口部１０１ａ内に配置され、スライド方向に対する左右の両縁部１１２ａ，１１２ｂと、それらの外側に対向する高壁開口部１０１ａ側の縁部との間が、例えば夫々二箇所に設けられた保持部１１５により連結されている。
【００４４】
鍔部１１２には、スライド方向に対する左右の両縁部１１２ａ，１１２ｂと、スライド方向のロック状態側（基板格納領域２４ａ側）の縁部１１２ｃとに沿って側壁１１６ａ，１１６ｂと前壁１１６ｃとが被結合部９１側に向けて突設されている。
【００４５】
側壁１１６ａ，１１６ｂは、その外面側が被結合部９１側の案内板９８に、側壁７２側の縁部が被結合部９１側の規制部９９に夫々沿うように形成されており、封止部材９２が被結合部９１側に押し込まれたとき、側壁１１６ａ，１１６ｂが案内板９８と規制部９９とに沿って摺動することにより被結合部９１側に案内されるようになっている。なお規制部９９は、鍔部１１２が保持部１１５により第２ケース体４２側に連結されている状態ではその端部が側壁１１６ａ，１１６ｂに到達しない長さに設けられており（図１９等）、第１ケース体４１に対して第２ケース体４２をスライドさせる際に側壁１１６ａ，１１６ｂが規制部９９と干渉しないようになっている。
【００４６】
軸部１１１は、鍔部１１２の中心部から被結合部９１側に向けて突設され、例えばスライド方向に対する左右方向に偏平な断面矩形状に形成されており、その幅は被結合部９１側の拡幅部９５ａの内幅と略同じか若干小さく形成されている。
【００４７】
結合部１１３は、鍔部１１２が保持部１１５により第２ケース体４２側に連結されている状態ではその先端側が被結合部９１に到達せず（図１９等）、封止部材９２が被結合部９１側に押し込まれて第２ケース体４２側から切り離され、鍔部１１２側が嵌合支持部９４の表面９４ａに当接したとき、被結合部９１の挿通スリット９５を貫通してその裏側に離脱不能に係合するようになっている（図２０等）。
【００４８】
被押圧部１１４は、封止部材９２を被結合部９１側に向けて押圧する際にその押圧操作を受ける部分であって、鍔部１１２の中心部から外向き突出状に設けられており、その中央に凹部１１４ａが形成されている。封止部材９２を被結合部９１側に向けて押圧する際には、この凹部１１４ａにドライバー等の先端部を押し当てることにより容易に押圧操作可能である。
【００４９】
なお、第２固定ベース部１０６を構成する複数のカシメピン１０７は、全ての封止部材９２に対してその配列方向の両側に夫々配置されるように、封止部材９２の配列方向の両端側と、隣接する封止部材９２間とに各一本ずつ設けられている。
【００５０】
開封障害部９３は、封止用開口部１０１のうち、起立壁６８に形成された起立壁開口部１０１ｂから低壁６６に形成された低壁開口部１０１ｃにかけてその内側に配置され、損壊容易な第１，第２損壊部１２１，１２２を介して第２ケース体４２に一体成形されており、封止部材９２が第２ケース体４２側から切り離されて第１ケース体４１側に結合したとき、その封止部材９２のスライド方向ロック側に当接又は略当接するようになっている。
【００５１】
開封障害部９３は、図１０，図１１，図１６等に示すように、例えば封止部材９２に対するスライド方向ロック側に立設された支持板１２３と、この支持板１２３から封止部材９２側に突設された当接部１２４とを備えている。支持板１２３は、起立壁開口部１０１ｂを略塞ぐように起立壁６８と同一平面上に配置され、内側端部が嵌合支持部９４の表面９４ａに当接又は近接しており、その内側端部近傍に当接部１２４が設けられている。当接部１２４は、封止部材９２が保持部１１５により第２ケース体４２側に連結されている状態では封止部材９２から離間しており（図１９）、封止部材９２が第２ケース体４２から切り離されて第１ケース体４１側に結合したとき（図２０）、その封止部材９２の前壁１１６ｃの外面側に当接又は近接するようになっている。
【００５２】
第１損壊部１２１は、図１０，図１６等に示すように、支持板１２３の外側端部におけるスライド方向左右両側と封止用開口部１０１の縁部又はその近傍、例えば高壁６７側の囲いリブ１０８との間を夫々連結するように設けられ、主基板ケース２４の外側からニッパー等により容易に損壊可能となっている。
【００５３】
また、第２損壊部１２２は、図１０，図１１，図１６等に示すように、支持板１２３の内側端部と、低壁開口部１０１ｃの縁部又はその近傍、例えば低壁６６及び仕切り壁５７との間を、低壁開口部１０１ｃ内をスライド方向に横切って連結するように設けられ、例えばその外側縁部が低壁６６と略面一で、内側縁部が嵌合支持部９４の表面９４ａに当接又は近接する内外方向幅広状に形成されており、主基板ケース２４の外側からニッパー等により損壊可能となっている。
【００５４】
なお、この第２損壊部１２２は、低壁６６とその両側に立設された起立壁６８及び膨出部６１の側壁６１ａとで構成される内向きの凹入部１２５内に配置されており、しかも内外方向幅広状に形成されているため、第１損壊部１２１に比べると損壊操作が若干困難となっている。
【００５５】
以上のように、封止手段４３を構成する被結合部９１、封止部材９２、開封障害部９３は全て主基板ケース２４の第１ケース体４１又は第２ケース体４２に一体成形されており、別部品は存在しない。即ち、主基板ケース２４の構成部品は第１ケース体４１と第２ケース体４２の二つだけであるため、例えば封止部材９２が別部品となっていた従来の基板ケースに比べて部品点数及び組み立て工数を少なくすることができ、コスト削減が可能である。
【００５６】
連結部材４４は、第１ケース体４１と第２ケース体４２とを開閉可能な状態で接続するためのもので、図１２等に示すように、第１ケース体４１側の第１固定ベース部１０３に着脱不能に固定される第１固定部１３１と、第２ケース体４２側の第２固定ベース部１０６に着脱不能に固定される第２固定部１３２と、これら第１固定部１３１と第２固定部１３２との間を連結する連結部１３３とを備え、例えば合成樹脂により一体成形されている。
【００５７】
第１固定部１３１は、第１固定ベース部１０３に対応する略平板状のカバー板１４１と、このカバー板１４１の外縁に沿ってその一面側に突設され且つ第１固定ベース部１０３側の囲いリブ１０５の内側に嵌合可能な嵌合リブ１４２とで構成されている。カバー板１４１には、嵌合リブ１４２と同じ側に凹入する凹部１４３が第１固定ベース部１０３側のカシメピン１０４に対応して一又は複数設けられており、それら凹部１４３にカシメピン１０４用の挿通孔１４４が夫々形成されている。
【００５８】
また、第２固定部１３２は、第２固定ベース部１０６に対応する略平板状の封止カバー板１４５と、この封止カバー板１４５の外縁に沿ってその一面側に突設され且つ第２固定ベース部１０６側の囲いリブ１０８の内側に嵌合可能な嵌合リブ１４６と、封止部材９２の配列方向両側に対応して封止カバー板１４５から嵌合リブ１４６と同じ側に突設された仕切リブ１４７とで構成されている。
【００５９】
封止カバー板１４５には、各封止部材９２の被押圧部１１４に対応する複数の操作孔１４８と、第２固定ベース部１０６側のカシメピン１０７に対応して設けられ且つ嵌合リブ１４６と同じ側に凹入する複数の凹部１４９とが設けられ、これら凹部１４９にカシメピン１０７用の挿通孔１５０が夫々形成されている。
【００６０】
また、第２固定部１３２の外縁側には、第１損壊部１２１に対応する位置に、例えば嵌合リブ１４６から封止カバー板１４５にわたる損壊用切欠部１５１が設けられている。
【００６１】
連結部１３３は、例えば十分な可撓性を有する平板状で、第１固定部１３１側のカバー板１４１と第２固定部１３２側の封止カバー板１４５とを一体に連結しており、第１ケース体４１と第２ケース体４２とを開閉する際の妨げにならない程度の長さに形成されている。
【００６２】
この連結部材４４の第１固定部１３１、第２固定部１３２は、次のような手順で夫々第１固定ベース部１０３、第２固定ベース部１０６に熱カシメにより固定されている。即ち、まず第１，第２固定部１３１，１３２を、夫々の挿通孔１４４，１５０にカシメピン１０４，１０７を挿通させつつ嵌合リブ１４２，１４６を囲いリブ１０５，１０８の内側に嵌合させることにより第１，第２固定ベース部１０３，１０６に装着し（図１３（ａ）→（ｂ））、その後にカシメピン１０４，１０７の先端側を所定の熱カシメ具１５２により熱しつつ押し潰すことにより（図１３（ｂ）→（ｃ））、第１，第２固定部１３１，１３２は夫々第１固定ベース部１０３、第２固定ベース部１０６に固定される。
【００６３】
これにより、第１ケース体４１と第２ケース体４２とが分離不能に連結されると共に、第２ケース体４２側の封止部材９２は、図１４〜図１６等に示すように、被押圧部１１４を除く略全体が連結部材４４側の第２固定部１３２により外側から覆われた状態となる。
【００６４】
また、この連結部材４４で連結された第１ケース体４１と第２ケース体４２との結合及び封止は次のような手順で行う。即ち、まず主制御基板２３を第２ケース体４２の内側に装着し、その第２ケース体４２側の一対の係合突部５８を第１ケース体４１側の案内溝７８，７９に沿って被係合穴８７に内側から差し込んだ後、第２ケース体４２側の係合爪７０を第１ケース体４１側の切り欠き部８１に嵌合させてアンロック状態に嵌め合わせる  （図１７→図１８）。
【００６５】
このとき、第２ケース体４２側の右周壁５４と第１ケース体４１側の右嵌合壁７５とは離間しており、第２ケース体４２側の封止部材９２は、例えばその側壁１１６ａ，１１６ｂの一端側が第１ケース体４１側の側壁７２の切欠１０２に嵌合した状態となる。
【００６６】
そして、第２ケース体４２と第１ケース体４１とを、それらの右周壁５４と右嵌合壁７５とを近づける方向に相対的にスライドさせて、第２ケース体４２側の係合爪７０を第１ケース体４１側の係止部８２に係合させ、第１ケース体４１と第２ケース体４２とを結合状態でロックする（図１８→図１９）。これにより、第２ケース体４２側の封止部材９２は、第１ケース体４１側の側壁７２から離間して、第１ケース体４１側の被結合部９１と内外方向に合致した状態となる。また、このように主ロック手段８６がロック状態となっても、補助ロック手段８８については、係合突部５８が被係合穴８７に係合した状態が維持されている。
【００６７】
続いて、複数（４組）の封止手段４３のうちの１つを用いて主基板ケース２４を封止する。即ち、ドライバー等の工具の先端を、第２固定部１３２の外側から操作孔１４８を介して封止部材９２の被押圧部１１４の凹部１１４ａに当て、内側、即ち第１ケース体４１側に押圧する。これにより、保持部１１５が損壊してその封止部材９２が第２ケース体４２から切り離されると共に、その封止部材９２の先端側の結合部１１３が弾性係合部９７を両側に押し広げながら挿通スリット９５内に嵌合する。このとき、封止部材９２は、その周囲に設けられた案内板９８，９８、規制部９９及び当接部１２４に沿って摺動することにより押圧方向に真っ直ぐに案内される。
【００６８】
そして、封止部材９２の鍔部１１２が嵌合支持部９４の表面９４ａに当接したとき、結合部１１３が挿通スリット９５を貫通して弾性係合部９７の裏側に係合し、その封止部材９２は第２ケース体４２から完全に独立した状態で第１ケース体４１側に離脱不能に結合した状態となる（図２０）。
【００６９】
このとき、その封止部材９２に対応する開封障害部９３の当接部１２４が、その封止部材９２のスライド方向ロック側の面、即ち前壁１１６ｃの外面側に当接又は近接した状態となる。従って、その状態で、第２ケース体４２と第１ケース体４１とを開方向、即ちそれらの右周壁５４と右嵌合壁７５とを離間させる方向に相対的にスライドさせようとしても、第１ケース体４１側に結合している封止部材９２が、当接部１２４を介して第２ケース体４２の開方向への相対移動を規制するため、そのままでは主基板ケース２４を開封することはできない。
【００７０】
また、このように主基板ケース２４を封止手段４３により封止した状態では、その封止に用いた封止部材９２は第２ケース体４２から切り離されるため、封止前にその封止部材９２が配置されていた高壁開口部１０１ａは大きく開口した状態となるが、図１４等に示すように、その高壁開口部１０１ａは第２固定部１３２により略覆われているため、外部から高壁開口部１０１ａを介して封止部材９２の被結合部９１への結合を強引に解除する等の不正行為を行うことは困難である。
【００７１】
また、例えば第１ケース体４１側の一部を損壊することにより、第２ケース体４２及び封止部材９２には一切痕跡が残らない状態で主基板ケース２４が開封されたとしても、第１ケース体４１と第２ケース体４２とは連結部材４４により連結されているため、この連結部材４４を切断等しない限り、損壊した第１ケース体４１を第２ケース体４２から切り離すことはできない。従って、痕跡を残すことなく、その損壊した第１ケース体４１を複製品と取り替えて主基板ケース２４を開封前と同じ状態に復元することは不可能であり、そのような不正行為を効果的に防止できる。
【００７２】
検査等のために主基板ケース２４を正規に開封する場合には、封止状態となっている封止手段４３の第１，第２損壊部１２１，１２２をニッパー等の切断工具を用いて切断し、図２１（ａ）に示すように、開封障害部９３を第２ケース体４２から切り離して除去する。これにより、起立壁開口部１０１ｂ及び低壁開口部１０１ｃが開放され、第２ケース体４２を第１ケース体４１に対してアンロック方向にスライドさせる際に封止部材９２に規制される部分がなくなるため（図２１（ｂ））、主基板ケース２４を開封することができる。なお、第１損壊部１２１を切断する際には、その第１損壊部１２１に対応して第２固定部１３２側に設けられた損壊用切欠部１５１にニッパー等の先端側を差し込むことで第１損壊部１２１を容易に切断することができる。
【００７３】
以上説明した主基板ケース２４が装着される主基板ケース装着部３１は、図３〜図６に示すように、集球ケース２２の背面側に設けられた装着開口部１６１と、その装着開口部１６１の上下両縁側に沿って配置される装着レール１６２と、主基板ケース２４の一端側を支持する第１支持手段１６３と、主基板ケース２４の他端側を支持する第２支持手段１６４と、主基板ケース２４の外側から第１，第２損壊部１２１，１２２の少なくとも一部を覆う封止カバー１６５とを備えている。
【００７４】
装着開口部１６１は、主基板ケース２４に対応する略矩形状に形成され、その上下両縁側に沿って装着レール１６２が内向き突出状に延設されている。
【００７５】
第１支持手段１６３は、主基板ケース２４の一端側、例えば左端側を支持するもので、主基板ケース２４側の突設部８４が係合可能な凹部により構成されており、突設部８４に対応して装着開口部１６１の左端側に設けられている。
【００７６】
第２支持手段１６４は、主基板ケース２４の他端側、例えば右端側を解除可能に支持するもので、主基板ケース２４側の突設部８５に係合する係合位置と係合しない解除位置とに切り換え可能な締結つまみにより構成されており、突設部８５に対応して装着開口部１６１の右端側に設けられている。
【００７７】
主基板ケース２４を主基板ケース装着部３１に装着する際には、主基板ケース２４の前面側（第１ケース体４１の外面側）を装着レール１６２に沿わせつつ、まず左端側の突設部８４を第１支持手段１６３に嵌合させ、続いて第２支持手段１６４を解除位置から係合位置に切り換えて突設部８５を係止すればよい。
【００７８】
封止カバー１６５は、主基板ケース装着部３１に装着された主基板ケース２４の封止領域２４ｂ側端部を覆うように主基板ケース装着部３１の後側に一体に設けられており、主基板ケース２４の封止側上壁５１ｂに沿って主基板ケース装着部３１と略平行に配置されるカバー板部１６６と、主基板ケース２４側の上下の周壁５２，５３及び左端側の側壁７２に沿ってカバー板部１６６の縁部と主基板ケース装着部３１とを連結する連結板部１６７とで主基板ケース２４の着脱側、即ち右側が開放する箱形に形成されている。
【００７９】
カバー板部１６６は、第１，第２損壊部１２１，１２２を含む封止手段４３の略全体を覆う大きさの矩形板状に形成されている。なお、封止手段４３による封止／開封状態が外側から視認可能なように、封止カバー１６５は少なくともカバー板部１６６を透明とすることが望ましい。
【００８０】
このように、主基板ケース２４を主基板ケース装着部３１に装着した状態では第１，第２損壊部１２１，１２２が封止カバー１６５で覆われるため、そのままでは主基板ケース２４を開封することはできない。第１，第２損壊部１２１，１２２を損壊して主基板ケース２４を開封するためには、まず第２支持手段１６４を解除して主基板ケース２４を主基板ケース装着部３１から取り外す必要があるため、その分だけ時間を要し、ＲＯＭの交換等によるゴト行為を効果的に防止できる。
【００８１】
以上説明したように、本実施形態のパチンコ機では、両端側の第１，第２固定部１３１，１３２を第１ケース体４１と第２ケース体４２とに夫々着脱不能に固定することにより、第１ケース体４１と第２ケース体４２とを開閉可能な状態で連結する連結部材４４を備えているため、例えば第１ケース体４１側の一部を損壊することにより、第２ケース体４２及び封止部材９２には一切痕跡が残らない状態で主基板ケース２４が開封されたとしても、連結部材４４を切断等しない限り、損壊した第１ケース体４１を第２ケース体４２から切り離すことはできない。従って、痕跡を残すことなく、その損壊した第１ケース体４１を複製品と取り替えて主基板ケース２４を開封前と同じ状態に復元することは不可能であり、そのような不正行為を効果的に防止できる。
【００８２】
また、封止手段４３は、第１，第２損壊部１２１，１２２を介して第２ケース体４２側に一体に形成され且つ第１，第２損壊部１２１，１２２を損壊することにより第２ケース体４２から除去可能な開封障害部９３と、第２ケース体４２側に設けられ且つ所定方向に押し込まれたときに第２ケース体４２側から切り離されて第１ケース体４１側に離脱不能に結合する封止部材９２とを備え、この封止部材９２が第１ケース体４１側に結合したとき、その封止部材９２が第１ケース体４１に対する開封障害部９３の開方向への相対移動を規制して主基板ケース２４の開封を阻止するように構成されているため、封止手段４３を構成する封止部材９２を第２ケース体４２に一体で形成することができ、これにより部品点数を最小限に抑え、コストの削減が可能となるという利点がある一方、第２ケース体４２及び封止部材９２には一切痕跡が残らない状態で第１ケース体４１側の一部を損壊して開封することが容易であると考えられ、従って第１ケース体４１と第２ケース体４２とを連結部材４４で連結することは不正を防止する上でより有効である。
【００８３】
また、封止部材９２は、保持部１１５を介して第２ケース体４２側に一体に形成されており、連結部材４４における第２ケース体４２側の第２固定部１３２は、封止部材９２を外側から覆うように第２ケース体４２側に固定されており、第２固定部１３２に、封止部材９２の被押圧部１１４に対応する操作孔１４８を設けているため、封止前に封止部材９２が配置されていた部分にできた開口は第２固定部１３２により略塞がれ、外部からその開口を介して封止部材９２の被結合部９１への結合を強引に解除する等の不正行為を防止できる。
【００８４】
また、第２ケース体４２側の第２固定部１３２は、各封止部材９２の両側を含む複数箇所で例えば熱カシメにより第２ケース体４２に固定されているため、各封止部材９２を個々に厳重にカバーすることができる。
【００８５】
以上、本発明の実施形態について詳述したが、本発明はこれらの実施形態に限定されるものではなく、本発明の趣旨を逸脱しない範囲で種々の変更が可能である。例えば、連結部材４４は、第１ケース体４１と第２ケース体４２とに対して損壊以外の方法では取り外すことができない方法で固定すればよく、熱カシメ以外に例えばリベット等により固定してもよい。また、第１ケース体４１と第２ケース体４２とを、それらに一体に形成された可撓性の連結手段４４により互いに連結してもよい。
【００８６】
本発明を適用可能な基板ケースは、実施形態で示した構成に限定されるものではなく、基板を挟んで互いに嵌め合わせ可能な第１，第２ケース体により構成され、それら第１，第２ケース体を封止手段により封止可能なものであればよい。
【００８７】
また、実施形態では本発明をパチンコ機に適用した例を示したが、アレンジボール機、スロットマシン等の各種遊技機において同様に実施可能であることは言うまでもない。
【図面の簡単な説明】
【００８８】
【図１】本発明の一実施形態を示すパチンコ機の全体正面図である。
【図２】遊技盤の背面図である。
【図３】集球ケース及び主基板ケースの分解斜視図である。
【図４】集球ケース及び主基板ケースの一部破断背面図である。
【図５】集球ケース及び主基板ケースの平面断面図である。
【図６】集球ケース及び主基板ケースの側面断面図である。
【図７】第２ケース体の背面図である。
【図８】第１ケース体の背面図である。
【図９】主基板ケースの分解平面図である。
【図１０】第２ケース体及び第１ケース体の要部拡大背面図である。
【図１１】第２ケース体及び第１ケース体の要部拡大斜視図である。
【図１２】連結部材の斜視図である。
【図１３】第１ケース体及び第２ケース体への連結部材の固定手順を示す説明図である。
【図１４】主基板ケースの拡大背面図である。
【図１５】図１４のＡ−Ａ断面図である。
【図１６】図１４のＢ−Ｂ断面図である。
【図１７】主基板ケースの結合・封止手順を示す第１ステップの説明図である。
【図１８】主基板ケースの結合・封止手順を示す第２ステップの説明図である。
【図１９】主基板ケースの結合・封止手順を示す第３ステップの説明図である。
【図２０】主基板ケースの結合・封止手順を示す第４ステップの説明図である。
【図２１】主基板ケースの開封手順を示す説明図である。
【符号の説明】
【００８９】
２３  主制御基板（基板）
２４  主基板ケース（基板ケース）
４１  第１ケース体
４２  第２ケース体
４３  封止手段
４４  連結部材（連結手段）
９２  封止部材
９３  開封障害部
１１４  被押圧部
１１５  保持部
１２１  第１損壊部（損壊部）
１２２  第２損壊部（損壊部）
１３１  第１固定部（固定部）
１３２  第２固定部（固定部）
１４８  操作孔
【図１】
0004769835.tif 000002
【図２】
0004769835.tif 000003
【図３】
0004769835.tif 000004
【図４】
0004769835.tif 000005
【図５】
0004769835.tif 000006
【図６】
0004769835.tif 000007
【図７】
0004769835.tif 000008
【図８】
0004769835.tif 000009
【図９】
0004769835.tif 000010
【図１０】
0004769835.tif 000011
【図１１】
0004769835.tif 000012
【図１２】
0004769835.tif 000013
【図１３】
0004769835.tif 000014
【図１４】
0004769835.tif 000015
【図１５】
0004769835.tif 000016
【図１６】
0004769835.tif 000017
【図１７】
0004769835.tif 000018
【図１８】
0004769835.tif 000019
【図１９】
0004769835.tif 000020
【図２０】
0004769835.tif 000021
【図２１】
0004769835.tif 000022